(57)【要約】【課題】空気調和機の外気温サ−ミスタ保持具の取り付け位置が熱交換器であったため、熱交換器の銅管の外径や配列により外気温サ−ミスタ保持具の種類が増え共用化が図れないという課題を有するものである。【解決手段】外気温サ−ミスタ保持具に、空気調和機の室外機における空気吸込口の口縁を形成する外箱に係止するための係止爪および、前記外気温サ−ミスタのリ−ド線を保持するための保持片を形成し、さらに前記外気温サ−ミスタ保持具の外気側に外気温サ−ミスタの保護のための壁面を形成する。【選択図】図１
2005069587.tif 000002
【特許請求の範囲】
【請求項１】
外気温度を検知するための外気温サ−ミスタを保持するサ−ミスタ保持具であって、空気調和機の室外機における空気吹込口の口縁を形成する外箱に係止するための係止爪および、前記外気温サ−ミスタのリ−ド線を保持するための保持片を設け、さらに前記外気温サ−ミスタ保持具の外気側に壁面を設けたことを特徴とする空気調和機の外気温サ−ミスタ保持具。
【請求項２】
外気温サ−ミスタ保持具に設けた壁面に複数の開口部を設けたことを特徴とする、請求項１記載の空気調和機の外気温サ−ミスタ保持具。
【請求項３】
外気温サ−ミスタ保持具に設けた壁面の形状を球面形状にしたことを特徴とする、請求項１記載の空気調和機の外気温サ−ミスタ保持具。
【発明の詳細な説明】
【技術分野】
【０００１】
本発明は、空気調和機の外気温サ−ミスタ保持具に関するものである。
【背景技術】
【０００２】
一般に、空気調和機の室外機には、外気温度を検知するための外気温サ−ミスタが取り付けられるが、その取付位置は吸込空気温度を検知する必要があるところから、熱交換器に取り付けられていた。一方、外気温サ−ミスタ保持具を空気調和機の室外機における空気吸込口の口縁を形成する外板に固定されていたものがあった。（例えば、特許文献1参照）。図７および図８は、前記特許文献1に記載された従来の空気調和機の外気温サ−ミスタ保持具の取付構造および外気温サ−ミスタ保持具を示すものである。図７において、１は室外機本体、２は室外機本体1における空気吸込口３の口縁を形成する外箱４に取り付けられた外気温度を検知するための外気温サ−ミスタ５を保持する外気温サ−ミスタ保持具である。図８において、前記外気温サ−ミスタ保持具２の下面には前記外箱４に前記外気温サ−ミスタ保持具２を固定するための係止片６が突設されている。７は前記外気温サ−ミスタ５のリ−ド線８を保護するためのリ−ド線保護カバ−である。前記外気温サ−ミスタ５は前記外気温サ−ミスタ保持具２に外気に露出するように取り付けられている。
【特許文献１】特開平１１−９４３３５号公報
【発明の開示】
【発明が解決しようとする課題】
【０００３】
しかしながら、上記従来の外気温サ−ミスタを熱交換器に取り付ける構成では、外気温サ−ミスタ保持具を取り付ける熱交換器の銅管の外径や配列の違いにより、外気温サ−ミスタ保持具の種類が増え部品の共用化が図れない課題を有していた。また、外気温サ−ミスタ保持具を室外機の外板に取り付ける構成の外気温サ−ミスタ保持具では、外気温サ−ミスタ本体が外気に露出しているため、室外機本体の設置時や掃除時に容易に外気温サ−ミスタに触れ、外気温サ−ミスタが外れ、故障の原因や安全性を悪化させる課題を有していた。本発明はこのような従来の課題を解決するものであり、外気温サ−ミスタ保持具を室外機本体の外箱に取り付け、共用化を図った外気温サ−ミスタ保持具を提供し、さらに外気温サ−ミスタ保持具の外気側に壁面を設け、外気温サ−ミスタの安全性の向上を図った外気温サ−ミスタ保持具を提供することを目的とする。
【課題を解決するための手段】
【０００４】
本発明の基本構成（請求項1の発明）では、上記課題を解決するための手段として、外気温サ−ミスタ保持具に、空気調和機の室外機における空気吸込口の口縁を形成する外箱に係止するための係止爪および、前記外気温サ−ミスタのリ−ド線を保持するための保持片を形成し、さらに前記外気温サ−ミスタ保持具の外気側に外気温サ−ミスタの保護のための壁面を形成している。
【０００５】
上記のように構成したことにより、外気温サ−ミスタ保持具を室外機本体の外箱に取り付けることができるため、熱交換器の銅管の外径や配列の種類に関係なく、前記外気温サ−ミスタ保持具の共用化が図れる。しかも、前記外気温サ−ミスタ保持具の外気側に外気温サ−ミスタの保護のための壁面を形成したことにより、前記外気温サ−ミスタが直接触れることがなく、安全性の向上が図れる。
【０００６】
また、請求項２の発明におけるように、前記外気温サ−ミスタ保持具の外気側に形成した外気温サ−ミスタの保護のための壁面に複数の開口部を設けた場合、より外気が前記外気温サ−ミスタを通過することにより、外気温サ−ミスタの外気温度の検知精度の向上が図れる。
【０００７】
また、請求項３の発明におけるように、前記外気温サ−ミスタ保持具の外気側に形成した外気温サ−ミスタの保護のための壁面の形状を球面形状にした場合、室外機本体の外箱に取り付けた前記外気温サ−ミスタ保持具が掴みにくくなり、故意に前記外気温サ−ミスタ保持具を外すことが困難になる。
【発明の効果】
【０００８】
上記から明らかなように、本発明は、空気調和機の外気温サ−ミスタ保持具を室外機本体の外箱に取り付けることができるため、熱交換器の銅管の外径や配列の種類に関係なく、使用でき、共用化を図った外気温サ−ミスタ保持具を提供するという効果を奏する。しかも、前記外気温サ−ミスタ保持具の外気側に外気温サ−ミスタを保護するための壁面を形成することにより、外気温サ−ミスタが外気に露出しなくなり室外機本体の設置時や掃除時に、外気温サ−ミスタが外れることがなくなり、故障の原因や安全性を悪化させることの無い外気温サ−ミスタ保持具を提供するという効果を奏する。
【０００９】
また、前記外気温サ−ミスタ保持具に形成した外気温サ−ミスタを保護するための壁面に複数個の開口部を設けたことにより、より外気が外気温サ−ミスタを通過することで、外気温度の検知精度の向上を図った外気温サ−ミスタ保持具を提供するという効果を奏する。
【００１０】
また、前記外気温サ−ミスタ保持具に形成した外気温サ−ミスタを保護するための壁面形状を球面形状にしたことにより、前記外気温サ−ミスタ保持具が掴みにくくなり、故意に前記外気温サ−ミスタ保持具を室外機本体から取り外すようなことのない外気温サ−ミスタ保持具を提供するという効果を奏する。
【発明を実施するための最良の形態】
【００１１】
以下、本発明の実施の形態について、図面を参照しながら説明する。
【００１２】
（実施の形態１）
図１は本発明の実施の形態１における空気調和機の外気温サ−ミスタ保持具２に外気温サ−ミスタ５を装着した状態の図であり、図２は空気調和機の室外機１における空気吸込口３の口縁を形成する外箱４に同外気温サ−ミスタ保持具２を係止した斜視図である。図３は同外気温サ−ミスタ保持具２を同室外機の外箱４に装着した状態の上面図である。図４は同外気温サ−ミスタ保持具２の斜視図である。同外気温サ−ミスタ保持具２には、同外箱４に同外気温サ−ミスタ保持具２を係止するための係止爪６が形成されている。9は外気温サ−ミスタ５のリ−ド線８を保持するための保持片で、同外気温サ−ミスタ保持具２の内側に形成されている。10は外気温サ−ミスタ５を保護するための壁面で、同外気温サ−ミスタ保持具２の外気側に形成されている。
【００１３】
（実施の形態２）
図５は本発明の実施の形態２における外気温サ−ミスタ保持具２の斜視図である。11は同外気温サ−ミスタ保持具２の外気側に形成された外気温サ−ミスタ５の保護のための壁面10に複数個設けられた開口部で、外気の通過量を増加させている。
【００１４】
（実施の形態３）
図６は本発明の実施の形態３における外気温サ−ミスタ保持具２の斜視図であり、同外気温サ−ミスタ保持具２の外気側に形成された外気温サ−ミスタ５の保護のための壁面10の形状を球面形状にし、同外気温サ−ミスタ保持具２を掴みにくくしている。
【図面の簡単な説明】
【００１５】
【図１】本発明の第１の実施の形態の外気温サ−ミスタ保持具に外気温サ−ミスタを装着した状態図
【図２】本発明の第１の実施の形態の外気温サ−ミスタ保持具を室外機本体の外箱に係止した状態の斜視図
【図３】本発明の第１の実施の形態の外気温サ−ミスタ保持具を室外機本体の外箱に係止した状態の上面図
【図４】本発明の第１の実施の形態の外気温サ−ミスタ保持具の斜視図
【図５】本発明の第２の実施の形態の外気温サ−ミスタ保持具の斜視図
【図６】本発明の第３の実施の形態の外気温サ−ミスタ保持具の斜視図
【図７】従来例の外気温サ−ミスタ保持具を室外機本体の外板に係止した状態の斜視図
【図８】従来例の外気温サ−ミスタ保持具の要部断面図
【符号の説明】
【００１６】
１    室外機
２    外気温サ−ミスタ保持具
４    外箱
５    外気温サ−ミスタ
６    係止片
１０    外気温サ−ミスタ保護用壁面
１１    開口部
【図１】
2005069587.tif 000003
【図２】
2005069587.tif 000004
【図３】
2005069587.tif 000005
【図４】
2005069587.tif 000006
【図５】
2005069587.tif 000007
【図６】
2005069587.tif 000008
【図７】
2005069587.tif 000009
【図８】
2005069587.tif 000010